(57)【要約】【課題】陶磁器調または石材調の外観を持ちながら、衝撃に強く、ルーバー支持間隔を大きくとれ、しかも安価に製造できる装飾用ルーバーを提供することにある。【解決手段】金属、コンクリート、ＦＲＰまたはＧＲＣ製のルーバー本体１２と、前記ルーバー本体の外面に施された陶磁器調または石材調の意匠塗膜１３と、を具えてなる装飾用ルーバー１１である。【選択図】図２
2007138503.tif 000002
【特許請求の範囲】
【請求項１】
金属、コンクリート、ＦＲＰまたはＧＲＣ製のルーバー本体と、
前記ルーバー本体の外面に施された陶磁器調または石材調の意匠塗膜と、
を具えてなる、装飾用ルーバー。
【請求項２】
前記陶磁器調または石材調の意匠塗膜は、１００メッシュふるい下の着色骨材を使用して、その着色骨材と顔料とを混合した意匠塗料から得られるものである、請求項１記載の装飾用ルーバー。
【請求項３】
前記意匠塗料は、着色骨材と顔料との比率を質量比で７０：７〜７０：１として、その着色骨材と顔料とを混合したものである、請求項２記載の装飾用ルーバー。
【請求項４】
前記ルーバー本体は、パイプ状または翼状をなすものである、請求項１から３までの何れか記載の装飾用ルーバー。
【発明の詳細な説明】
【技術分野】
【０００１】
この発明は、装飾用ルーバーの構造強度および意匠性の向上に関するものである。
【背景技術】
【０００２】
意匠性を重視した従来の装飾用ルーバーとして、石材や陶磁器材料を細長い形状に成形したものが知られている（例えば非特許文献１参照）。
【０００３】
図５は、上記従来の装飾用ルーバーの一種である陶磁器製ルーバーを示す斜視図、図６はその従来のルーバーの一部を拡大して透視した斜視図であり、図中符号１で示すこの従来の陶磁器製ルーバーは、角パイプ状に成形してから焼成したルーバー本体２内に補強用の鋼製のアングル材３を配置して、そのアングル材３とルーバー本体２とをそれらの間の熱膨張差を吸収する弾性接着剤４で接着して構成したものである。
【０００４】
この従来の陶磁器製ルーバー１は、そのアングル材３の内側からそのアングル材３とルーバー本体２とに挿通してルーバー本体２外に突出させた取り付けボルト５を、互いに間隔をあけて配置した二本の鋼製のフレーム６のボルト孔に、カラー７を介挿して挿通して、そこにナット８を締着固定することで、それらのフレーム６で支持することができる。
【非特許文献１】株式会社横河ブリッジおよび株式会社ＩＮＡＸが２００５年４月に発行したカタログ「ＴＥＲＲＡ  ＣＯＴＴＡ  ＬＯＵＶＥＲ」
【発明の開示】
【発明が解決しようとする課題】
【０００５】
しかしながら上述の如き従来の石材や陶磁器材料からなる装飾用ルーバーは、意匠性は高いものの、重量が重く、細長い形状に成形した場合に衝撃に対し破損し易くなることから、フレーム６等によるルーバー支持間隔を大きくとると構造強度を充分に高め得ないという不都合があり、それゆえルーバー支持間隔を大きくとれないというデザイン状の制約があった。また、製造工程が複雑なことから価格が高くなるという問題もあった。
【０００６】
一方、建築物の内外壁のコンクリート面等に使用する塗膜として近年、陶磁器調や石材調の意匠を持つものが知られるようになっている。
【０００７】
そこでこの発明は、上述の点に鑑みて、陶磁器調または石材調の外観を持ちながら、衝撃に強く、ルーバー支持間隔を大きくとれ、しかも安価に製造できる装飾用ルーバーを提供することを目的とする。
【課題を解決するための手段】
【０００８】
上記課題を有利に解決したこの発明の装飾用ルーバーは、金属、コンクリート、ＦＲＰまたはＧＲＣ製のルーバー本体と、前記ルーバー本体の外面に施された陶磁器調または石材調の意匠塗膜と、を具えてなるものである。
【発明の効果】
【０００９】
かかるこの発明の装飾用ルーバーによれば、陶磁器調（レンガ調を含む）または石材調の意匠塗膜によって外観に陶磁器（レンガを含む）または石材の風合いを持ちながら、金属、コンクリート、ＦＲＰ（繊維強化プラスチック）またはＧＲＣ（ガラス繊維補強コンクリート）製のルーバー本体によって高い構造強度を持つことができる。
【００１０】
なお、この発明の装飾用ルーバーにおいては、前記陶磁器調または石材調の意匠塗膜は、着色骨材および顔料を含有している。この着色骨材としては、その粒子径が１００メッシュふるい下であることが好ましく、１００メッシュふるい下かつ２００メッシュふるい上であることがさらに好ましい。上記粒子径が１００メッシュふるい上であると着色骨材が大きくなり、得られる意匠が陶磁器調にならない。また２００メッシュふるい下であると、得られる意匠がボケたり、意匠塗料の粘度が高くなり過ぎたりするおそれがある。このような着色骨材として具体的には、カラーサンド８イエロー（新東陶料株式会社製）等を挙げることができる。また、上記顔料は特に限定されず、例えば、カーボンブラック、二酸化チタン、黄色酸化鉄、ベンガラ等の無機顔料および、炭酸カルシウム、タルク等の体質顔料を挙げることができる。
【００１１】
上記意匠塗膜は、意匠塗料を塗装して得られるものであり、この意匠塗料に含まれる着色骨材と顔料との質量比は、好ましくは７０：７〜７０：１とする。着色骨材と顔料との質量比をこの７０：７〜７０：１の範囲外とすると、得られる意匠が陶磁器調にならなかったり、ボケたりするおそれがある。
【００１２】
また、この発明の装飾用ルーバーにおいては、前記ルーバー本体は、一般的なルーバー形状であるパイプ状または翼状をなすものであっても良い。
【発明を実施するための最良の形態】
【００１３】
以下、本発明の実施の形態を実施例によって、図面に基づき詳細に説明する。ここに、図１（ａ），（ｂ）および（ｃ）は、この発明の装飾用ルーバーの一実施例としてのテラコッタ調ルーバーを支柱で複数本支持した状態で示す平面図、正面図および側面図であり、図中符号１１はその実施例のテラコッタ調ルーバー、１２はその実施例のルーバー１１のルーバー本体、１３はそのルーバー本体の外面に施されたテラコッタ調塗膜をそれぞれ示す。
【００１４】
この実施例のルーバー１１は、その一本を図２の斜視図で示すように、例えば６０ｍｍ×６０ｍｍ×厚さ１．６ｍｍの全面溶融亜鉛メッキ付き鋼製角パイプからなるルーバー本体１２の両端部にボルト孔１２ａを形成し、そのルーバー本体１２の外面にテラコッタ調塗装１３を施してなるものであり、ここにおけるテラコッタ調塗膜１３は、以下の表１に示す如き塗装工程によって設けるものである。
【００１５】
【表１】
2007138503.tif 000003
【００１６】
ここで、溶融亜鉛メッキ用特殊樹脂下塗り塗料としては、例えば日本ペイント株式会社製の塗料商品名「ハイポンアクチブプライマー」を使用でき、弱溶剤形変性エポキシ樹脂下塗り塗料としては、例えば日本ペイント株式会社製の塗料商品名「ハイポン２０デクロ」を使用でき、ベースとするテラコッタ調塗料は、例えば以下の表２に示す製造例１に従ってアクリル樹脂エマルション、着色骨材、顔料（調色用原料塗料）、体質顔料および各種添加剤を混合することで調製でき、トップクリヤー塗料およびトップクリヤーつや消し塗料としては、例えば日本ペイント株式会社製の塗料商品名「デュフロン４ＦIIスーパーフレッシュ」を使用することができる。なお、製造例１の塗料はこの実施例のためのものであり、製造例２，３の塗料は後述する比較例１，２のためのものである。
【００１７】
【表２】
2007138503.tif 000004
【００１８】
但し、ベースのテラコッタ調塗料については、８号サイズ以下の着色骨材を使用し、その着色骨材と顔料との比率を質量比で７０：７〜７０：１として、その着色骨材と顔料とを混合した塗料とする。
【００１９】
上記のようにして形成したこの実施例のテラコッタ調ルーバー１１は、例えば図１に示す如き二本の支柱１４で支持することができ、ここにおける支柱１４は、図３に示すように、例えば溶融亜鉛メッキを全面に施した鋼製のアングル材１５に上下方向に所定間隔で所定数のボルト孔１５ａを開けるとともにそのアングル材１５の下端部にこれも溶融亜鉛メッキを全面に施した鋼板１６を溶接して構成したものである。
【００２０】
上記支柱１４によれば、例えば図４に示すように、先ず、この実施例のテラコッタ調ルーバー１１のルーバー本体１２の内側から両端部のボルト孔１２ａにそれぞれ挿通して外部に突出させた取り付けボルト５にナット８を締着して、それらの取り付けボルト５をルーバー１１に固定し、次いでそれらの取り付けボルト５を、二本の上記支柱１４の互いに同一高さのボルト孔１５ａに、例えば溶融亜鉛メッキを全面に施した鋼製の筒状のカラー７を介挿してそれぞれ挿通し、そこにナット８を締着固定することで、この実施例のテラコッタ調ルーバー１１を水平に支持することができる。
【００２１】
かかるこの実施例のテラコッタ調ルーバー１１によれば、テラコッタ調の塗膜１３によって外観にテラコッタの風合いを持ちながら、鋼製のルーバー本体１２によって高い構造強度を持つことができる。
【００２２】
ちなみに、本願発明者が行った強度計算によれば、この実施例のテラコッタ調ルーバー１１は、同一外形寸法の従来のテラコッタルーバーと比較して、２１．６倍の耐荷重と、１４．６倍の剛性とを有している。
【００２３】
また、本願発明者が行った塗膜の付着強さ試験（社団法人日本鋼構造協会の発行した鋼橋塗膜調査マニュアルJSS IV03-1993による）によれば、この実施例のテラコッタ調ルーバー１１の塗膜１３と同一仕様の塗膜は、評価点ＲＮ２以上の充分な付着強さを有していた。
【００２４】
さらに、本願発明者が製造例１の塗料を用いたこの実施例のテラコッタ調ルーバー１１および、上記製造例２，３の塗料をそれぞれ用いた以外はこの実施例と同様にして製造した比較例１，２のテラコッタ調ルーバーについて、目視によって平滑性と意匠性とを評価したところ、以下の表３に示す結果が得られた。なお、評価基準は以下の通りである。
＜平滑性＞
○：光沢があり平滑である。
×：光沢がなく平滑でない。
＜意匠性＞
○：陶磁器調の意匠が付与されている。
×：陶磁器調の意匠が認識できない。
【００２５】
【表３】
2007138503.tif 000005
【００２６】
上記の結果からも、この実施例のテラコッタ調ルーバー１１は光沢があって平滑であり、しかも陶磁器調の意匠が付与されていることが確認された。
【００２７】
以上、図示例に基づき説明したが、この発明は上述の例に限定されるものでなく、特許請求の範囲の記載範囲内で適宜変更しうるものであり、例えば塗膜１３はテラコッタ調に限られず、他の陶磁器調や、石材調としても良い。
【００２８】
また、例えばルーバー本体１２は鋼製に限られず、他の種類の金属性あるいはコンクリート製のものでも良く、その形状も角パイプ状の限られず、丸パイプ状あるいは翼状等としても良い。そしてこの発明の装飾用ルーバーを支持するものは、上記支柱や従来のフレームに限られず、所用に応じて適宜選択することができる。
【産業上の利用可能性】
【００２９】
かくしてこの発明の装飾用ルーバーによれば、陶磁器調（レンガ調を含む）または石材調の塗装によって外観に陶磁器（レンガを含む）または石材の風合いを持ちながら、金属またはコンクリート製のルーバー本体によって高い構造強度を持つことができる。
【図面の簡単な説明】
【００３０】
【図１】（ａ），（ｂ）および（ｃ）は、この発明の装飾用ルーバーの一実施例としてのテラコッタ調ルーバーを支柱で複数本支持した状態で示す平面図、正面図および側面図である。
【図２】上記実施例のルーバーの一本を示す斜視図である。
【図３】上記実施例のルーバーを支持する支柱を例示する斜視図である。
【図４】上記実施例のルーバーの、上記支柱への支持構造を示す拡大断面図である。
【図５】従来の装飾用ルーバーの一種である陶磁器製ルーバーを示す斜視図である。
【図６】上記従来のルーバーの一部を拡大して透視した斜視図である。
【符号の説明】
【００３１】
１  陶磁器製ルーバー
２  ルーバー本体
３  アングル材
４  弾性接着剤
５  取り付けボルト
６  フレーム
７  カラー
８  ナット
１１  テラコッタ調ルーバー
１２  ルーバー本体
１２ａ  ボルト孔
１３  テラコッタ調塗膜
１４  支柱
１５  アングル材
１５ａ  ボルト孔
１６  鋼板
【図１】
2007138503.tif 000006
【図２】
2007138503.tif 000007
【図３】
2007138503.tif 000008
【図４】
2007138503.tif 000009
【図５】
2007138503.tif 000010
【図６】
2007138503.tif 000011